(57)【要約】【課題】  騒音と圧力損失が低減したサイクロン集塵装置及びこれを備えた掃除機を提供する。【解決手段】  本発明によるサイクロン集塵装置及びこれを備えた掃除機は、サイクロン室及びゴミ収集室を含むサイクロン本体と；前記サイクロン本体の上部に結合されたカバーユニットと；前記サイクロン本体の下部に開放自在に取り付けられるドアユニットと；前記サイクロン室のエア排出管に設けられた少なくとも一つの騒音低減リブとを含む。【選択図】      図３
2006055622.tif 000002
【特許請求の範囲】
【請求項１】
サイクロン室及びゴミ収集室を含むサイクロン本体と；
前記サイクロン本体の上部に結合されたカバーユニットと；
前記サイクロン本体の下部に開放自在に取り付けられるドアユニットと；
前記サイクロン室のエア排出管に設けられた少なくとも一つの騒音低減リブとを含むことを特徴とするサイクロン集塵装置。
【請求項２】
前記騒音低減リブは、前記エア排出管の内壁から中心に向かって突設され、曲線部及び直線部を含むことを特徴とする請求項１に記載のサイクロン集塵装置。
【請求項３】
前記曲線部は、前記エア排出管の入口側に、前記直線部は、前記エア排出管の出口側に配されることを特徴とする請求項２に記載のサイクロン集塵装置。
【請求項４】
前記曲線部は、塵芥等が引っ掛からないように先端部が曲線処理されたことを特徴とする請求項３に記載のサイクロン集塵装置。
【請求項５】
前記騒音低減リブは、前記エア排出管の内壁に一定の間隔で複数個構成されていることを特徴とする請求項３に記載のサイクロン集塵装置。
【請求項６】
前記騒音低減リブは４個で構成されており、前記曲線部は、一定の方向に曲がっていることを特徴とする請求項５に記載のサイクロン集塵装置。
【請求項７】
前記騒音低減リブは、前記エア排出管の内径の０．１倍乃至０．４倍の幅を有することを特徴とする請求項５に記載のサイクロン集塵装置。
【請求項８】
前記騒音低減リブは、前記エア排出管に所定の深さまで進入して前記エア排出管の内壁に設けられ、
前記エア排出管の中心において相互離間するように前記エア排出管の中心に向かって一定の長さを有することを特徴とする請求項１に記載のサイクロン集塵装置。
【請求項９】
前記エア排出管は、円形の断面形状を有し、
前記騒音低減リブは、前記エア排出管の中心軸線を通るＸ−Ｙ座標上に４個が配されることを特徴とする請求項８に記載のサイクロン集塵装置。
【請求項１０】
前記騒音低減リブは、前記エア排出管の内径の０．１倍乃至０．４倍の幅を有することを特徴とする請求項９に記載のサイクロン集塵装置。
【請求項１１】
駆動モータが設けられた掃除機本体と；
前記掃除機本体に連結されて被掃除面上の塵芥等を吸い込む吸込ブラシと；
前記掃除機本体に着脱自在に取り付けられ、前記吸込ブラシを通って吸い込まれた集塵エアから塵芥等を分離するサイクロン集塵装置とを含み、
前記サイクロン集塵装置は、サイクロン室及びゴミ収集室を含むサイクロン本体と、前記サイクロン本体の上部に結合されたカバーユニットと、前記サイクロン本体の下部に開放自在に取り付けられるドアユニットと、前記サイクロン室のエア排出管に設けられた少なくとも一つの騒音低減リブとを含むことを特徴とする掃除機。
【請求項１２】
前記騒音低減リブは、前記エア排出管の内壁から中心に向かって突設され、曲線部及び直線部を含むことを特徴とする請求項１１に記載の掃除機。
【請求項１３】
前記騒音低減リブは、前記エア排出管に所定の深さまで進入して前記エア排出管の内壁に設けられ、
前記エア排出管の中心において相互離間するように前記エア排出管の中心に向かって一定の長さを有することを特徴とする請求項１１に記載の掃除機。
【発明の詳細な説明】
【技術分野】
【０００１】
本発明は、サイクロン集塵装置及びこれを備えた掃除機に関する。
【背景技術】
【０００２】
一般に、サイクロン集塵装置では、吸込通路から流入された集塵エアがサイクロン本体内において遠心力により塵芥等と浄化エアとに分離され、このようにして分離された塵芥等は、塵芥排出管を通ってゴミ収集室に収集され、浄化エアは、エア排出管を通ってサイクロン集塵装置から排出される。このとき、エア排出管を通って外部に排出される浄化エアは、エア排出管内において乱流性流動になり、かかる乱流性流動の干渉によりエア排出管から騒音が発生し、これは、圧力の損失につながる。
【０００３】
一方、前記のような問題点を解決するために、エルジー電子の特許文献１では、エア流入側の径がより大に形成されたエア排出管の形状が開示されており、ダイソンの特許文献２では、流線型の傾斜ボディを有する構造物がエア排出管の中心部に取り付けられる構成が開示されているが、エルジー電子とダイソンの公開特許の場合、エア排出管の外壁で発生する乱流性流動による騒音及び圧力損失を抑えることができず、特にダイソンの場合は、流線型の傾斜ボディが中心部に取り付けられ、これを支える構造物により、エア中に含まれる塵芥等がエア排出管に引っ掛かり、エア排出管を詰まらせるという問題点がある。
【特許文献１】韓国特許公開第２００１−００９９５７２号
【特許文献２】ＷＯ０２０６７７５６
【発明の開示】
【発明が解決しようとする課題】
【０００４】
本発明は、前記のような問題点を解決するためになされたものであって、騒音と圧力損失が低減されたサイクロン集塵装置及びこれを備えた掃除機を提供することにその目的がある。
【課題を解決するための手段】
【０００５】
前記目的を達成するための本発明によるサイクロン集塵装置は、 サイクロン室及びゴミ収集室を含むサイクロン本体と；前記サイクロン本体の上部に結合されたカバーユニットと；前記サイクロン本体の下部に開放自在に取り付けられるドアユニットと；前記サイクロン室のエア排出管に設けられた少なくとも一つの騒音低減リブとを含むことを特徴とする。
【０００６】
ここで、前記騒音低減リブは、前記エア排出管の内壁から中心に向かって突設され、曲線部及び直線部を含むことが好ましい。
【０００７】
前記曲線部は、前記エア排出管の入口側に、前記直線部は、前記エア排出管の出口側に配されることが好ましい。そして、前記曲線部は、塵芥等が引っ掛からないように先端部が曲線処理されることが好ましい。
【０００８】
ここで、前記騒音低減リブは、前記エア排出管の内壁に一定の間隔で複数個構成されていることが好ましい。
【０００９】
前記騒音低減リブは４個で構成されており、前記曲線部は、一定の方向に曲がっていることが好ましい。
【００１０】
そして、前記騒音低減リブは、前記エア排出管の内径の０．１倍乃至０．４倍の幅を有することが好ましい。
【００１１】
または、前記騒音低減リブは、前記エア排出管に所定の深さまで進入して前記エア排出管の内壁に設けられ、前記エア排出管の中心において相互離間するように前記エア排出管の中心に向かって一定の長さを有することが好ましい。
【００１２】
ここで、前記エア排出管は、円形の断面形状を有し、前記騒音低減リブは、前記エア排出管の中心軸線を通るＸ−Ｙ座標上に４個が配されることが好ましい。
【００１３】
そして、前記騒音低減リブは、前記エア排出管の内径の０．１倍乃至０．４倍の幅を有することが好ましい。
【００１４】
また、前記目的は、駆動モータが設けられた掃除機本体と；前記掃除機本体に連結されて被掃除面上の塵芥等を吸い込む吸込ブラシと；前記掃除機本体に着脱自在に取り付けられ、前記吸込ブラシを通って吸い込まれた集塵エアから塵芥等を分離するサイクロン集塵装置とを含み、前記サイクロン集塵装置は、サイクロン室及びゴミ収集室を含むサイクロン本体と、前記サイクロン本体の上部に結合されたカバーユニットと、前記サイクロン本体の下部に開放自在に取り付けられるドアユニットと、前記サイクロン室のエア排出管に設けられた少なくとも一つの騒音低減リブとを含むことを特徴とする掃除機により達成される。
【００１５】
ここで、前記騒音低減リブは、前記エア排出管の内壁から中心に向かって突設され、曲線部及び直線部を含むことが好ましい。
【００１６】
または、前記騒音低減リブは、前記エア排出管に所定の深さまで進入して前記エア排出管の内壁に設けられ、前記エア排出管の中心において相互離間するように前記エア排出管の中心に向かって一定の長さを有することが好ましい。
【発明の効果】
【００１７】
本発明に係るサイクロン集塵装置及びこれを備えた掃除機によれば、サイクロン集塵装置のエア排出管に騒音低減リブが設けられることで浄化エアがエア排出管内において乱流性流動になることを抑え、かかる乱流性流動の干渉によりエア排出管から発生する騒音が低減され、圧力の損失が低減する。従って、騒音の低減による作業者の掃除能率が向上し、圧力損失の低減による掃除機の掃除効率が向上する。
【発明を実施するための最良の形態】
【００１８】
以下、図面を参照して、本発明の好適な実施例によるサイクロン集塵装置及びこれを備えた掃除機について詳細に説明する。
【実施例１】
【００１９】
図１を参照するに、掃除機２００は、掃除機本体２５０と掃除したい床面のゴミを吸い込む吸込ブラシ２１０と、掃除機２００を操作する操作部２３０と、吸込ブラシ２１０と操作部２３０とを連結する延長管２２０と、操作部２３０と掃除機本体２５０とを連結するフレキシブルホース２４０と、サイクロン集塵装置３００等から構成される。
【００２０】
掃除機本体２５０内には、吸引力を提供するための駆動源の駆動モータが組み込まれる。集塵エアに含まれている塵芥等を遠心分離作用により分離するサイクロン集塵装置３００が脱着自在に収められている。
【００２１】
図２を参照するに、サイクロン集塵装置３００は、カバーユニット３３０と、ドアユニット３５０と、サイクロン本体３１０とから構成される。
【００２２】
カバーユニット３３０は、サイクロン本体３１０の上端に脱着自在に取り付けられ、カバーユニット３３０がサイクロン本体３１０の上端に装着されれば、自然としてサイクロン室３１３とゴミ収集室３１５とを連通する塵芥移動通路（図示せず）が形成される。このような塵芥移動通路（図示せず）を介してサイクロン室３１３内において集塵エアより遠心分離された塵芥等がゴミ収集室３１５へと移動するようになる。
【００２３】
そして、カバーユニット３３０をサイクロン本体３１０から取り外せば、サイクロン室３１３とゴミ収集室３１５の掃除及びメンテナンスのための作業者の接近が容易になる。
【００２４】
カバーユニット３３０の正面中央には、吸込通路３３１が形成される。この吸込通路３３１は、フレキシブルホース２４０（図１参照）と連通する。
【００２５】
ドアユニット３５０は、サイクロン本体３１０の下端にヒンジ方式で取り付けられ、ヒンジ３５１を中心に矢印Ｇ方向に開けたり矢印Ｇ’方向に閉じたりすることができる。ドアユニット３５０を開ければ、連結通路３１１とゴミ収集室３１５の底面が開放され、連結通路３１１とゴミ収集室３１５内に収集されていた塵芥等が重力により落下し排出される。
【００２６】
このとき、ドアユニット３５０の開放は、把手部３１９に設けられたボタン３１９ａを押してドアユニット３５０の一方側に係合されていた係止具（図示せず）が後退し、これと同時にドアユニット３５０と係止具（図示せず）との係合が解除されながら、ドアユニット３５０の一方側がヒンジ３５１を中心に旋回しながら行われる。
【００２７】
そして、ドアユニット３５０を閉じるためには、作業者が強制的にヒンジ３５１を中心に矢印Ｇ’方向にドアユニット３５０を旋回させ、係止部（図示せず）にドアユニット３５０の一方側を係合することで行われる。
【００２８】
図３を参照するに、サイクロン本体３１０は、連結通路３１１と、サイクロン室３１３と、ゴミ収集室３１５と、把手部３１９等から構成される。
【００２９】
連結通路３１１は、サイクロン本体３１０の中央に形成され、吸込通路３３１（図２参照）と連通しており、吸込通路３３１（図２参照）に流入される集塵エアをサイクロン室３１３に導く役割を果たす。また、連結通路３１１には、微細埃が捕捉できるメッシュフィルタＭが取り付けられるメッシュ取付孔３１１ａが形成され、前記メッシュフィルタＭを介して連結通路３１１が吸込源（図示せず）と連通する。そして、連結通路３１１の底部は開放されており、ドアユニット３５０を開ければ、連結通路３１１に収集されていた塵芥等が重力により落下し排出される。
【００３０】
サイクロン室３１３は、サイクロン本体３１０内における、連結通路３１１を基準にして右側に形成され、遠心力を用いて集塵エアから塵芥等を分離する。サイクロン室３１３の底面には、吸込通路３３１と連結通路３１１を経て流入された集塵エアがサイクロン室３１３内に流入されるようにする進入通路３１３ａが形成される。
【００３１】
エア排出管３１４は、円形の断面形状を有し、サイクロン室３１３の中央底部に一定の高さにて突設され、集塵エアから分離された浄化エアが通り抜ける通路の役割を果たす。このようなエア排出管３１４は、サイクロン室３１３と一体または別体で作製されサイクロン室３１３の底部に設けられる。
【００３２】
そして、エア排出管３１４には、４個の騒音低減リブ３１７が設けられる。その詳細は、後述する。
【００３３】
ゴミ収集室３１５は、サイクロン本体３１０内における、連結通路３１１を基準にして左側に形成され、サイクロン室３１３で分離された塵芥等が収集される。ゴミ収集室３１５の一方側には、収集された塵芥等が再度サイクロン室３１３に逆流しないようにゴミ収集室３１５の下方にアーチ形状をなす遮断部材３１５ａが取り付けられる。そして、ゴミ収集室３１５は、底部が開放されており、ドアユニット３５０を開ければ、ゴミ収集室３１５に収集されていた塵芥等が重力により落下し排出される。
【００３４】
把手部３１９は、逆コ状を有し、サイクロン本体３１０の正面に設けられ、サイクロン本体３１０を掃除機本体２５０から取り外す時、作業者の手が把持される部分である。そして、把手部３１９の下端には、ドアユニット３５０を開けるためのボタン３１９ａが設けられ、把手部３１９の内部には、ボタン３１９ａと係止部（図示せず）とを連結するリンク部材（図示せず）が設けられる。
【００３５】
以下、図４を参照して、エア排出管に設けられた騒音低減リブの構成及び作用について詳述する。
【００３６】
騒音低減リブ３１７は、エア排出管３１４を通る浄化エアにより発生する騒音及び圧力損失を低減させるために、エア排出管３１４の内壁３１４ｂに一定の間隔で４個が設けられる。このような騒音低減リブ３１７は、別体として作製してエア排出管３１４の内壁３１４ｂに接着剤にて取り付けるか、またはエア排出管３１４と一体でエア排出管３１４の内壁３１４ｂから中心方向に突設するように形成すればよい。
【００３７】
騒音低減リブ３１７は、一定の厚さｔを有し、エア排出管３１４の入口３１４ａからエア排出管３１４の出口３１４ｃの方向に沿って曲線部３１7ａ及び直線部３１７ｃを有する。
【００３８】
曲線部３１７ａは、エア排出管３１４の入口３１４ａ側に配され、浄化エアと曲線部３１７ａとの衝突に起因する騒音及び圧力損失を最小化するために矢印Ａ方向に沿って曲がった曲線状を有し、４個の騒音低減リブ３１７は、エア排出管３１４の内壁３１４ｂに同一の方向に設けられる。
【００３９】
そして、曲線部３１７ａの先端部３１７ｂは、塵芥等が引っ掛からないように曲線処理される。前記構成により、曲線部３１７ａは、エア排出管３１４の入口３１４ａから流れ込まれる浄化エアの旋回を徐々に解き、浄化エアがエア排出管３１４の内壁３１４ｂにぶつかることで乱流性流動になることを抑える。
【００４０】
直線部３１７ｃは、エア排出管３１４の出口３１４ｃ側に配され、曲線部３１７ａで旋回が解けられた浄化エアを直線流にし、エア排出管３１４の出口３１４ｃを通り抜けるように導く。
【００４１】
そして、騒音低減リブ３１７は、エア排出管３１４の中心において相互離間するようにエア排出管３１４の中心に向かって０．１×ａ乃至０．４×ａの幅ｂを有し、ここで、ａは、エア排出管３１４の内径を表す。この場合、エア排出管３１４の中心が開放されており、エア排出管３１４の入口３１４ａから流れ込まれた浄化エアがより容易にエア排出管３１４の出口３１４ｃを通り抜けることができる。
【００４２】
以下、図１乃至図４の構成を有する掃除機の動作について説明すると、次の通りである。
【００４３】
駆動モータが駆動すれば吸引力が発生し、この吸引力は、サイクロン集塵装置３００を通って吸込ブラシ２１０に伝わる。吸込ブラシ２１０では、被掃除面の塵芥等がエアと共に吸い込まれる。吸い込まれたエアは、吸込ブラシ２１０と延長管２２０とフレキシブルホース２４０を通ってカバーユニット３３０の吸込通路３３１に入り込む（矢印Ｆ方向）。
【００４４】
集塵エアは、連結通路３１１内において、その一部はメッシュ装着孔３１１ａに取り付けられたメッシュフィルタＭを通ってから（矢印Ｆ１方向）、サイクロン本体３１０の背面に設けられた排気フィルタ（図示せず）を通ってサイクロン集塵装置３００から排出され（矢印Ｆ６方向）、残りは、サイクロン室３１３の進入通路３１３ａに流入される（矢印Ｆ２方向）。
【００４５】
このようにして流入された集塵エアは、サイクロン室３１３の底部からカバーユニット３３０の上端まで旋回しながら同時に上昇する。このとき、塵芥等は、遠心力によりサイクロン本体３１０の左側に画成されたゴミ収集室３１５内へと跳ね返されて収集され（矢印Ｆ３方向）、収集された塵芥等は、遮断部材３１５ａにより再びサイクロン室３１３に逆流できなくなる。
【００４６】
そして、塵芥等と分離された浄化エアは、カバーユニット３３０の上端（図示せず）にぶつかって矢印Ｆ４方向に旋回しつつ下降し、サイクロン室３１３の底部中央に設けられたエア排出管３１４を通り抜ける。このとき、浄化エアの一部は、エア排出管３１４の中心をそのまま通り抜け、残りは、曲線部３１７ａに沿って流れながら徐々に旋回が解けながら、直線部３１７ｃを通ることでゆっくり直線流になり、エア排出管３１４を通り抜けるようになる。
【００４７】
このようにしてエア排出管３１４を通り抜けた浄化エアは、サイクロン本体３１０の背面に設けられた排気フィルタ（図示せず）を通ってサイクロン集塵装置３００から排出される（矢印Ｆ５方向）。
【００４８】
連結通路３１１に進入した集塵エアは、掃除機の初期駆動時には、メッシュ装着孔３１１ａに取り付けられたメッシュフィルタＭをその大半が通り抜け、以降、メッシュフィルタＭが塵芥等により詰まる場合、その大半がサイクロン室３１３の進入通路３１３ａから流入されるようになる。これは、流体（集塵エア）が相対的に抵抗の小さい方に流れようとする性質があることに起因する。この種のメッシュフィルタＭが取り付けられる構成により、掃除機の初期駆動時の圧力損失が改善される効果がある。
【００４９】
以下、図５及び図６を参照して、騒音低減リブ３１７が存在する場合が騒音低減リブ３１７が存在しない場合に比べてどの程度の騒音及び圧力損失の低減効果があるかについて、みてみることにする。
【００５０】
まず、騒音低減の効果をみてみれば、全ての周波数帯において、騒音低減リブ３１７が存在する場合が騒音低減リブ３１７が存在しない場合に比べて、騒音が平均して２．８ｄＢ低減することが分かる。特に、流動解析を通じて見出したエア排出管３１４から発生する騒音の特定の周波数帯（１．２ＫＨｚ、２．４ＫＨｚ）での騒音低減の効果をみてみれば、騒音低減リブ３１７が存在する場合が騒音低減リブ３１７が存在しない場合に比べて、騒音がそれぞれ１６．９ｄＢ、７．５ｄＢ程度と大きく低減することが分かる。
【００５１】
次いで、騒音低減リブ３１７が存在する場合が騒音低減リブ３１７が存在しない場合に比べてどの程度の圧力損失の低減の効果をもたらすかについてみてみれば、次の通りである。
【００５２】
図６を参照するに、騒音低減リブ３１7が存在する場合の圧力損失は、４７２ｍｍＨ２Ｏであるのに対し、騒音低減リブ３１７が存在しない場合の圧力損失は、５２７ｍｍＨ２Ｏであることが分かる。従って、騒音低減リブ３１７が存在する場合が騒音低減リブ３１７が存在しない場合に比べて圧力損失が５５ｍｍＨ２Ｏ程度小さく、これを％で換算すれば、騒音低減リブ３１７が存在する場合が騒音低減リブ３１７が存在しない場合に比べて約１１％の圧力損失の低減効果があることが分かる。
【００５３】
以下、騒音低減リブの他の実施例を説明すると、次の通りである。
【００５４】
図７を参照するに、騒音低減リブ４１７は、エア排出管４１４に所定の深さｄまで進入してエア排出管４１４の中心軸線を通るＸ−Ｙ座標上にそれぞれ４個配される。
【００５５】
そして、騒音低減リブ４１７は、一定の厚さｔ１を有する矩形をなし、エア排出管４１４の内壁４１４ａに設けられ、エア排出管４１４の中心において相互離間するように（接触しないように）、エア排出管４１４の中心に向かって０．１×ａ１乃至０．４×ａ１の一定の長さｂ１を有し、ここで、ａ１は、エア排出管の内径を表す。
【００５６】
このとき、騒音低減リブ４１７は、エア排出管４１４の内壁４１４ａに接着剤または溶接により取り付けられるか、またはエア排出管４１４の内壁４１４ａと一体で形成される。
【００５７】
この種の騒音低減リブ４１７によりエア排出管４１４内において浄化エアが乱流性流動になることが抑えられ、かかる乱流性流動の干渉による騒音が低減される。
【００５８】
図８を参照するに、全ての周波数帯において、騒音低減リブ４１７が存在する場合が騒音低減リブ４１７が存在しない場合に比べて、騒音が平均して３ｄＢ低減することが分かる。
【００５９】
そして、流動解析を通じて見出したエア排出管４１４から発生する騒音の特定の周波数帯（１．２ＫＨｚ、２．４ＫＨｚ）での騒音低減の効果をみてみれば、騒音低減リブ４１７が存在する場合が騒音低減リブ４１７が存在しない場合に比べて、騒音がそれぞれ１５ｄＢ、７ｄＢ程度と大きく低減することが分かる。
【００６０】
以上、本発明を本発明の原理を例示するための好適な実施例について図示し説明したが、本発明は、そのように図示し説明した通りの構成及び作用に限定されるものではなく、却って、添付した特許請求の範囲の思想及び範疇を逸脱することなく本発明に対する多数の変更及び修正が可能であることを当業者であればよく理解できるはずである。従って、かかる全ての変更及び修正と均等物も本発明の範囲に属するものとみなされるべきである。
【産業上の利用可能性】
【００６１】
本発明のサイクロン集塵装置及びこれを備えた掃除機は、キャニスター型、ドラム型、アップライト型、スティック型、ハンディー型、ロボット型掃除機のいずれにも適用される。
【図面の簡単な説明】
【００６２】
【図１】本発明の一実施例によるサイクロン集塵装置が備えられた掃除機を概略的に示す斜視図である。
【図２】図１に示すサイクロン集塵装置の分解斜視図である。
【図３】図２に示すサイクロン本体を示す斜視図である。
【図４】図３に示す騒音低減リブとエア排出管を示す拡大斜視図である。
【図５】図４に示す騒音低減リブの有無による騒音を比較したグラフである。
【図６】図４に示す騒音低減リブの有無による騒音及び圧力損失を比較したグラフである。
【図７】他の実施例による騒音低減リブを示す斜視図である。
【図８】図７に示す騒音低減リブの有無による騒音を比較したグラフである。
【符号の説明】
【００６３】
２５０    掃除機本体
３００    サイクロン集塵装置
３３０    カバーユニット
３１０    サイクロン本体
３５０    ドアユニット
３１３    サイクロン室
３１５    ゴミ収集室
３１７    騒音低減リブ
３１７ａ  曲線部
３１７ｃ  直線部
【図１】
2006055622.tif 000003
【図２】
2006055622.tif 000004
【図３】
2006055622.tif 000005
【図４】
2006055622.tif 000006
【図５】
2006055622.tif 000007
【図６】
2006055622.tif 000008
【図７】
2006055622.tif 000009
【図８】
2006055622.tif 000010